(57)【要約】【課題】腐食性ガスによる光源部の劣化を抑制することが可能な発光装置を提供する。【解決手段】発光装置としての照明装置１は、本体２と、光源部３と、光源部３から発せられた光を透過させる透光体４と、腐食性ガスを捕捉する腐食性ガス捕捉材１７と、を備える。本体２及び透光体４により形成される内部空間１４に光源部３及び腐食性ガス捕捉材１７が配置されている。腐食性ガス捕捉材１７が捕捉する腐食性ガスは、ハロゲンガス、窒素酸化物、硫黄化合物ガス、アンモニアのうちの少なくとも一つを含んでもよい。【選択図】図３
2019021463.tif 000002
【特許請求の範囲】
【請求項１】
本体と、
光源部と、
前記光源部から発せられた光を透過させる透光体と、
腐食性ガスを捕捉する腐食性ガス捕捉材と、
を備え、
前記本体及び前記透光体により形成される内部空間に前記光源部及び前記腐食性ガス捕捉材が配置されている
発光装置。
【請求項２】
前記腐食性ガス捕捉材は、前記光源部に用いられた金属と同種の金属を含む請求項１に記載の発光装置。
【請求項３】
前記腐食性ガス捕捉材は、銀、銅、アルミニウムのうちの少なくとも一つを含む請求項１または請求項２に記載の発光装置。
【請求項４】
前記内部空間の水分及び油分の少なくとも一方を除去する除去手段を備える請求項１から請求項３のいずれか一項に記載の発光装置。
【請求項５】
前記内部空間に配置されたリフレクタを備え、
前記リフレクタに取り付けられた前記腐食性ガス捕捉材を備える請求項１から請求項４のいずれか一項に記載の発光装置。
【請求項６】
前記光源部に隣接して配置された前記腐食性ガス捕捉材を備える請求項１から請求項５のいずれか一項に記載の発光装置。
【請求項７】
前記内部空間を封止するための封止部材を備え、
前記封止部材から前記光源部までの空気の通路に配置された前記腐食性ガス捕捉材を備える請求項１から請求項６のいずれか一項に記載の発光装置。
【請求項８】
前記内部空間を封止するための封止部材を備え、
前記封止部材に隣接して配置された前記腐食性ガス捕捉材を備える請求項１から請求項７のいずれか一項に記載の発光装置。
【請求項９】
前記光源部の熱を外部空間へ散逸させる放熱フィンを有するヒートシンクを備え、
前記ヒートシンクに対して直接または熱伝導性材料を介して接触している前記腐食性ガス捕捉材を備える請求項１から請求項８のいずれか一項に記載の発光装置。
【請求項１０】
前記腐食性ガス捕捉材の表面に沿って摺動可能な可動部材を備える請求項１から請求項９のいずれか一項に記載の発光装置。
【請求項１１】
前記腐食性ガス捕捉材が捕捉する前記腐食性ガスは、ハロゲンガス、窒素酸化物、硫黄化合物ガス、アンモニアのうちの少なくとも一つを含む請求項１から請求項１０のいずれか一項に記載の発光装置。
【発明の詳細な説明】
【技術分野】
【０００１】
本発明は、発光装置に関する。
【背景技術】
【０００２】
発光ダイオード（ＬＥＤ）のような発光素子を用いた照明装置が広く用いられている。下記特許文献１には、電球型ＬＥＤランプにおいて、ＬＥＤモジュールを収納する筐体に所定のガスを封入して気密封止することで、ＬＥＤモジュールの劣化を抑制する技術が開示されている。
【先行技術文献】
【特許文献】
【０００３】
【特許文献１】国際公開第２０１４／０４５４８９号
【発明の概要】
【発明が解決しようとする課題】
【０００４】
電球型ランプのような小規模の照明装置の場合には、気密封止することが比較的容易である。これに対し、例えば大型のＬＥＤ照明のような装置では、完全に気密封止することは難しい。そのような装置では、外部から装置内部に流入する腐食性ガス、または装置内部の部品から発生する腐食性ガスにより、光源部が劣化する可能性がある。
【０００５】
本発明は、上述のような課題を解決するためになされたもので、腐食性ガスによる光源部の劣化を抑制することが可能な発光装置を提供することを目的とする。
【課題を解決するための手段】
【０００６】
本発明に係る発光装置は、本体と、光源部と、光源部から発せられた光を透過させる透光体と、腐食性ガスを捕捉する腐食性ガス捕捉材と、を備え、本体及び透光体により形成される内部空間に光源部及び腐食性ガス捕捉材が配置されているものである。
【発明の効果】
【０００７】
本発明によれば、本体及び透光体により形成される内部空間に光源部及び腐食性ガス捕捉材が配置されていることで、腐食性ガスによる光源部の劣化を抑制することが可能となる。
【図面の簡単な説明】
【０００８】
【図１】実施の形態１による発光装置としての照明装置を斜め下から見た斜視図である。
【図２】図１に示す照明装置の底面図である。
【図３】図１及び図２に示す照明装置の一部の模式的な断面図である。
【発明を実施するための形態】
【０００９】
以下、図面を参照して実施の形態について説明する。各図において共通または対応する要素には、同一の符号を付して、重複する説明を簡略化または省略する。
【００１０】
実施の形態１．
図１は、実施の形態１による発光装置としての照明装置１を斜め下から見た斜視図である。図２は、図１に示す照明装置１の底面図である。これらの図に示す照明装置１は、天井に設置され、下へ向けて光を照射することで、照明装置１よりも下の空間を照らす用途に使用できる。照明装置１は、例えば数千ルーメンから数万ルーメンの光束を発する装置として使用可能でもよい。照明装置１は、例えば、工場、倉庫、体育館、競技施設などの高い天井に設置して使用されてもよい。
【００１１】
図２に示すように、照明装置１は、本体２、光源部３、透光体４、外枠５、及び内枠６を備える。照明装置１の使用時には、照明装置１の底面は実質的に水平になる。本実施の形態では、装置中心軸の方向から見たときの本体２の形状は、実質的に円形である。変形例として、装置中心軸の方向から見たときの本体２の形状が、長方形または正方形のような、円形以外の形状でもよい。
【００１２】
本体２の内部に、複数の光源部３が配置されている。本実施の形態における光源部３は、発光ダイオード（ＬＥＤ）を備える。光源部３は、本体２に対して熱伝導可能となるように設けられている。光源部３で発生した熱は、本体２へ熱伝導する。本実施の形態における光源部３は、チップ・オン・ボード（ＣＯＢ）タイプのＬＥＤ光源を備える。光源部３は、本体２に対して熱伝導性材料を介して接触してもよい。熱伝導性材料は、例えば、熱伝導性シート、熱伝導性グリス、熱伝導性接着剤、熱伝導性両面粘着テープのいずれかでもよい。
【００１３】
変形例として、光源部３は、ＣＯＢタイプ以外のＬＥＤ光源を備えるものでもよい。例えば、光源部３は、表面実装型ＬＥＤパッケージ、砲弾型ＬＥＤパッケージ、配光レンズ付きＬＥＤパッケージ、チップ・スケール・パッケージのＬＥＤ、のうちの少なくとも一つを備えるものでもよい。光源部３は、ＬＥＤを備えるものに限らず、例えば、有機エレクトロルミネセンス（ＥＬ）素子、半導体レーザなどの発光素子を備えるものでもよい。光源部３の光源基板が、本体２に対し、直接に、または熱伝導性材料を介して、接触してもよい。光源部３の光源基板と本体２とが一体的に形成されてもよい。
【００１４】
図１に示すように、本体２は、複数の放熱フィン２ａを有する。本体２は、光源部３で発生した熱を周囲の空気へ散逸させることにより、光源部３を冷却する。本体２は、ヒートシンクとしての機能を有する。放熱フィン２ａは、本体２の上面から突出する。本実施の形態における各放熱フィン２ａは、板状の形状を有する。放熱フィン２ａにより、本体２の表面積を大きくすることで、光源部３で発生した熱を効率良く散逸させることができる。その結果、光源部３の温度を低くできるので、光源部３のエネルギー効率すなわち発光効率が向上するとともに、光源部３の寿命を長くできる。
【００１５】
複数の放熱フィン２ａは、放射状に配置されている。複数の放熱フィン２ａのそれぞれは、本体２の中央領域から径方向外方へ延びる。変形例として、複数の板状の放熱フィン２ａが互いに平行に配置されてもよい。他の変形例として、放熱フィン２ａは、ピン形の形状を有するピンフィンでもよい。
【００１６】
本体２は、軽量かつ熱伝導率の高い金属材料で作られていることが望ましい。そのような金属材料としては、例えば、アルミニウム、アルミニウム系合金、銅系合金、ステンレス鋼などが挙げられる。本体２は、例えばダイカスト方式などにより、一体成形されてもよい。または、本体２は、複数の放熱フィン２ａを、ベースに対して、例えば、カシメ固定、ねじ止め、接着、溶接、ろう接などの方法により接合したものでもよい。
【００１７】
本体２は、底面に開口を有する。透光体４は、本体２の底面の開口を塞ぐように取り付けられている。光源部３から発せられた光は、透光体４を透過して、照明装置１の外部へ照射される。透光体４は、光を正透過させる、透明材料で作られていてもよい。または、透光体４は、光を拡散透過させるものでもよい。透光体４は、例えば、ポリカーボネート樹脂、アクリル系樹脂、ポリスチレン樹脂などの樹脂材料、またはガラス材料で作られていてもよい。透光体４は、板状の形状を有する。変形例として、透光体４は、例えばレンズあるいはプリズムのように、光線を制御する機能を有していてもよい。
【００１８】
透光体４は、外枠５及び内枠６を介して、本体２に対して取り付けられている。本実施の形態において、透光体４は、円形の外形を有する。透光体４の中央部分には、円形開口が形成されている。外枠５及び内枠６は、それぞれ、複数のネジにより本体２に対して固定されている。外枠５は、透光体４の外縁部に沿う円環状の形状を有する。外枠５により、透光体４の外縁部が保持される。内枠６は、透光体４の中央部分の円形開口の縁部を保持する。
【００１９】
本実施の形態の照明装置１は、電源装置７をさらに備える。電源装置７は、本体２の上に設置されている。電源装置７が備える筐体の内部には、光源部３を点灯させる電流を供給する光源駆動回路を有する電子回路基板などが配置されている。電源装置７には、ケーブル８が接続されている。外部の交流電源からの交流電力がケーブル８により電源装置７に供給される。この交流電力は、光源駆動回路により、直流電力に変換され、光源部３へ供給される。変形例として、照明装置１は、電源装置７を備えていなくてもよい。すなわち、照明装置１は、外部の電源装置から供給される直流電力によって点灯するものでもよい。
【００２０】
本実施の形態の照明装置１は、本体サポート９をさらに備える。本体サポート９は、本体２を支持する。本体サポート９は、細長い板状の固定部９ａと、固定部９ａの両端から突出する一対の腕部９ｂとを有する。本体サポート９の固定部９ａは、建造物の天井または梁などの取付面に対して固定される。固定部９ａには、取付面に対して固定するためのボルトを通す孔が形成されている。各腕部９ｂは、固定部９ａの長手方向に対して垂直な方向に突出する。各腕部９ｂの先端部分には、円弧状に湾曲した長孔９ｃが形成されている。本体サポート９の各腕部９ｂは、本体２に対して、ボルト１０を中心に、相対的に回転可能に連結されている。ボルト１１は、本体サポート９の腕部９ｂの長孔９ｃを通って、本体２に設けられたネジ孔に挿入している。照明装置１が設置されるときには、ボルト１０，１１を締め付けることで、本体２に対して本体サポート９が相対的に回転しないように固定されている。
【００２１】
図１の状態では、固定部９ａが本体２の底面に対して平行になっている。取付面が水平である場合には、この状態で本体サポート９の固定部９ａが取付面に対して固定される。これにより、本体２の底面が水平となる適正な姿勢で照明装置１が固定される。これに対し、取付面が、水平面に対して傾斜した傾斜面である場合には、その傾斜面に対して本体サポート９の腕部９ｂが垂直になるように、本体２に対する本体サポート９の角度を変えることができる。すなわち、ボルト１０，１１を緩めると、本体サポート９がボルト１０を中心として回転可能になり、本体２に対して本体サポート９を傾斜させることができる。本体２に対して本体サポート９が傾斜すると、長孔９ｃに対してボルト１１が相対的に移動する。ボルト１０，１１を再び締め付けることで、本体サポート９をその傾斜角度の位置に固定できる。このようにして、取付面が傾斜面である場合には、その傾斜面に対して本体サポート９の腕部９ｂが垂直になるように、固定部９ａを傾斜させることができる。これにより、照明装置１を適正な姿勢で設置できる。
【００２２】
図示の例では、本体サポート９に対して、落下防止ワイヤ１００が接続されている。本体サポート９の固定部９ａを取付面に固定したボルトが、万が一に緩んだ場合であっても、落下防止ワイヤ１００により、照明装置１の落下を確実に防止することが可能となる。
【００２３】
図２に示すように、本実施の形態の照明装置１は、第一リフレクタ１２及び第二リフレクタ１３をさらに備える。第一リフレクタ１２は、各光源部３に対して一つずつ設けられている。複数の第一リフレクタ１２が、一つの第二リフレクタ１３により支持されている。
【００２４】
図３は、図１及び図２に示す照明装置１の一部の模式的な断面図である。図３は、照明装置１の中心軸を含む平面で切断した断面図に相当する。なお、図３中での照明装置１の姿勢は、照明装置１の使用時に対して逆さまの姿勢である。
【００２５】
図３に示すように、本体２及び透光体４により、照明装置１の内部空間１４が形成されている。内部空間１４に、光源部３、第一リフレクタ１２及び第二リフレクタ１３が配置されている。第一リフレクタ１２及び第二リフレクタ１３は、光源部３とは別体の部品である。
【００２６】
第一リフレクタ１２は、反射面１２ａを有する。反射面１２ａは、光源部３の光軸ＡＸに対して傾斜した面である。反射面１２ａは、光源部３の光軸ＡＸを囲むように全周に形成されている。光源部３から発せられた光のうち、側方へ発せられた光は、反射面１２ａで反射して、透光体４に入射する。これにより、透光体４から外部へ照射される光量を増やすことが可能となる。
【００２７】
第二リフレクタ１３は、反射面１３ａを有する。反射面１３ａは、光源部３の光軸ＡＸに対して垂直な面である。反射面１３ａは、光を透光体４へ向けて反射させる。反射面１３ａを備えたことで、外部から透光体４を見たときの輝度ムラを低減できる。反射面１２ａ，１３ａは、白色でもよい。
【００２８】
照明装置１は、内部空間１４を気密的に封止するための封止部材１５，１６をさらに備える。封止部材１５は、透光体４の外縁部に沿って円環状に配置されている。封止部材１５は、本体２及び外枠５と、透光体４の外縁部との間の隙間を封止する。封止部材１６は、透光体４の中央部分の円形開口の縁部に沿って円環状に配置されている。封止部材１６は、本体２及び内枠６と、透光体４の中央部分の円形開口の縁部との間の隙間を封止する。本実施の形態であれば、封止部材１５，１６を備えたことで、内部空間１４の気密性を向上できる。このため、外部からの水分あるいは塵埃等が内部空間１４に流入することを抑制できる。
【００２９】
照明装置１は、腐食性ガスを捕捉する腐食性ガス捕捉材１７をさらに備える。腐食性ガス捕捉材１７は、内部空間１４に配置されている。腐食性ガス捕捉材１７は、内部空間１４の腐食性ガスを捕捉する。
【００３０】
腐食性ガスは、光源部３に用いられた金属を腐食させる性質を有するガスである。「光源部３に用いられた金属」とは、例えば、光源部３に用いられたリードめっき材、電極材、ダイボンド材の少なくとも一つの、組成に含まれる金属材料である。典型的には、「光源部３に用いられた金属」は、銀、銅、アルミニウムのうちの少なくとも一つを含む。「光源部３に用いられた金属を腐食させる性質を有するガス」とは、例えば、ハロゲンガス、窒素酸化物、硫黄化合物ガス、アンモニアのうちの少なくとも一つである。「ハロゲンガス」とは、例えばＣｌ２である。「窒素酸化物」とは、例えば、ＮＯ２、ＮＯである。「硫黄化合物ガス」とは、例えば、ＳＯ２、Ｈ２Ｓである。
【００３１】
腐食性ガスは、例えば、自動車の排出ガス、排水管から漏れる下水ガス、化学薬品から揮発するガス、温泉地帯または火山地帯から流れてくるガスなどに含まれている。また、腐食性ガスは、例えば、化石燃料の燃焼、地熱発電設備、下水処理、上水処理、製紙工程、ごみ焼却、製鉄工程、製紙工程、生物分解、化学肥料製造工程などに関連して発生する。これらに起因する腐食性ガスが、照明装置１の外部空間に存在する可能性がある。封止部材１５，１６による内部空間１４の気密性は必ずしも完全ではない。特に、照明装置１のような比較的大型の装置では、内部空間１４の気密性を、長期にわたって、完全に保持することは困難である。このため、照明装置１の外部の腐食性ガスが内部空間１４に侵入する可能性がある。また、内部空間１４に配置された部品に用いられた樹脂材料などから腐食性ガスが発生する可能性もある。
【００３２】
内部空間１４の腐食性ガスの濃度が高いほど、光源部３の寿命が短くなる傾向がある。本実施の形態であれば、光源部３が腐食性ガスにさらされる前に、腐食性ガス捕捉材１７により腐食性ガスを捕捉することができる。このため、光源部３が腐食性ガスの影響を受けて劣化することを確実に抑制できる。また、内部空間１４の腐食性ガスの濃度を低く維持できるので、光源部３の寿命が短くなることを確実に防止できる。
【００３３】
腐食性ガス捕捉材１７の少なくとも一部は、例えば、シート状の形態、ペースト状の形態、塗膜状の形態、のうちの少なくとも一つの形態を有するものでもよい。
【００３４】
腐食性ガス捕捉材１７は、腐食性ガスと化学的に結合することで腐食性ガスを捕捉する捕捉物質を含んでもよい。例えば、腐食性ガス捕捉材１７は、光源部３に用いられた金属と同種の金属を含んでもよい。また、腐食性ガス捕捉材１７は、銀、銅、アルミニウムのうちの少なくとも一つを含んでもよい。腐食性ガス捕捉材１７は、銀、銅、アルミニウムのうちの少なくとも一つを合金として含んでもよい。腐食性ガス捕捉材１７がこれらの捕捉物質を含むことで、光源部３に用いられた金属を腐食させる腐食性ガスをより確実に捕捉することができる。その結果、光源部３が腐食性ガスの影響を受けることをより確実に防止できる。
【００３５】
腐食性ガス捕捉材１７は、腐食性ガスを物理的に吸収または吸着することで腐食性ガスを捕捉する捕捉物質を含んでもよい。例えば、腐食性ガス捕捉材１７は、例えば、活性炭、シリカ、アルミナのような多孔質の材料を含んでもよい。
【００３６】
腐食性ガス捕捉材１７は、上記のような捕捉物質が保持体の中に分散した構造を有するものでもよい。捕捉物質の形状は、例えば、粉末状、バルク状、またはフレーク状でもよい。当該保持体は、例えば、ゴム、樹脂、コルク、紙、セルロース系部材、接着剤、粘着剤のうちの少なくとも一つでもよい。
【００３７】
本実施の形態の照明装置１は、除去材１８をさらに備える。除去材１８は、内部空間１４に配置されている。除去材１８は、内部空間１４の水分すなわち湿気を、吸収または吸着することにより除去してもよい。除去材１８は、内部空間１４の油分を、吸収または吸着することにより除去してもよい。除去材１８は、公知の乾燥剤、油吸着材を備えるものでもよい。除去材１８は、内部空間１４の水分及び油分の少なくとも一方を除去する除去手段の例である。水分あるいは油分が腐食性ガスと共存すると、腐食性ガスによる腐食が進行しやすくなる傾向がある。内部空間１４の水分及び油分の少なくとも一方を当該除去手段により除去することで、光源部３が腐食性ガスの影響を受けることをより確実に防止できる。図示の例では、除去材１８は、腐食性ガス捕捉材１７とは別体として設けられている。図示の例では、除去材１８は、第二リフレクタ１３の、反射面１３ａとは反対側の面に取り付けられている。変形例として、他の位置に除去材１８を配置してもよい。さらに、変形例として、除去材１８のような除去手段が腐食性ガス捕捉材１７と一体的に設けられていてもよい。
【００３８】
照明装置１は、腐食性ガス捕捉材１７として、以下に説明する腐食性ガス捕捉材１７ａ〜１７ｇのうちの少なくとも一つを備えてもよい。腐食性ガス捕捉材１７ａ，１７ｂは、第一リフレクタ１２に取り付けられている。これにより、光源部３の熱が腐食性ガス捕捉材１７ａ，１７ｂに伝熱することを抑制できるので、腐食性ガス捕捉材１７ａ，１７ｂの温度が上昇しにくい。それゆえ、腐食性ガス捕捉材１７ａ，１７ｂが熱により劣化することを確実に抑制できる。腐食性ガス捕捉材１７ａ，１７ｂは、光軸ＡＸを囲む第一リフレクタ１２の全周にわたって設けられていてもよい。
【００３９】
腐食性ガス捕捉材１７ａは、第一リフレクタ１２の反射面１２ａに取り付けられている。腐食性ガス捕捉材１７ｂは、第一リフレクタ１２の、反射面１２ａとは反対側の面に取り付けられている。腐食性ガス捕捉材１７ｂであれば、反射面１２ａによる反射の妨げになることを防止できる。
【００４０】
腐食性ガス捕捉材１７ｃ，１７ｄは、第二リフレクタ１３に取り付けられている。これにより、光源部３の熱が腐食性ガス捕捉材１７ｃ，１７ｄに伝熱することを抑制できるので、腐食性ガス捕捉材１７ｃ，１７ｄの温度が上昇しにくい。それゆえ、腐食性ガス捕捉材１７ｃ，１７ｄが熱により劣化することを確実に抑制できる。腐食性ガス捕捉材１７ｃは、第二リフレクタ１３の反射面１３ａに取り付けられている。腐食性ガス捕捉材１７ｄは、第二リフレクタ１３の、反射面１３ａとは反対側の面に取り付けられている。腐食性ガス捕捉材１７ｄであれば、反射面１３ａによる反射の妨げになることを防止できる。
【００４１】
腐食性ガス捕捉材１７ｅは、光源部３に隣接して配置されている。腐食性ガス捕捉材１７ｅであれば、光源部３に近づく腐食性ガスをより確実に捕捉できるので、光源部３が腐食性ガスの影響を受けることをより確実に防止できる。
【００４２】
腐食性ガス捕捉材１７ｆは、封止部材１５に隣接して配置されている。腐食性ガス捕捉材１７ｆは、封止部材１５から光源部３までの空気の通路に位置する。外部空間の腐食性ガスが封止部材１５の隙間を通って内部空間１４に侵入した場合、その腐食性ガスが光源部３に到達する前に、その腐食性ガスを腐食性ガス捕捉材１７ｆが確実に捕捉できる。このため、光源部３が腐食性ガスの影響を受けることをより確実に防止できる。
【００４３】
腐食性ガス捕捉材１７ｇは、封止部材１６に隣接して配置されている。腐食性ガス捕捉材１７ｇは、封止部材１６から光源部３までの空気の通路に位置する。外部空間の腐食性ガスが封止部材１６の隙間を通って内部空間１４に侵入した場合、その腐食性ガスが光源部３に到達する前に、その腐食性ガスを腐食性ガス捕捉材１７ｇが確実に捕捉できる。このため、光源部３が腐食性ガスの影響を受けることをより確実に防止できる。
【００４４】
腐食性ガス捕捉材１７ｆ，１７ｇは、本体２の内壁面に取り付けられている。腐食性ガス捕捉材１７ｆ，１７ｇは、本体２に対して熱伝導可能である。腐食性ガス捕捉材１７ｆ，１７ｇは、本体２の内壁面に直接に接してもよい。腐食性ガス捕捉材１７ｆ，１７ｇは、熱伝導性材料を介して本体２の内壁面に接触してもよい。熱伝導性材料は、例えば、熱伝導性シート、熱伝導性グリス、熱伝導性接着剤、熱伝導性両面粘着テープのいずれかでもよい。本体２は、放熱フィン２ａを有するヒートシンクに相当する。放熱フィン２ａが外部空間へ熱を散逸させるので、本体２の温度は比較的低い。内部空間１４は、光源部３の熱により、高温になる可能性がある。内部空間１４の熱が腐食性ガス捕捉材１７ｆ，１７ｇに伝わると、その熱が比較的低温の本体２へ伝わることで、腐食性ガス捕捉材１７ｆ，１７ｇの温度上昇が抑制される。このため、腐食性ガス捕捉材１７ｆ，１７ｇが高温になりにくい。それゆえ、腐食性ガス捕捉材１７ｆ，１７ｇが熱により劣化することを確実に抑制できる。
【００４５】
腐食性ガス捕捉材１７ｃ〜１７ｇは、本体２の中心軸を中心とする周方向に沿って延びるように配置されていてもよい。腐食性ガス捕捉材１７ｃ〜１７ｇは、本体２の中心軸を中心とする周方向の全周にわたって環状に配置されていてもよい。
【００４６】
内部空間１４に配置される腐食性ガス捕捉材１７の総量は、照明装置１が長期間にわたって使用される間に腐食性ガスを捕捉できるように、十分な量が確保されていることが望ましい。
【００４７】
可動部材１９は、腐食性ガス捕捉材１７ｇの表面に沿って摺動可能である。可動部材１９は、腐食性ガス捕捉材１７ｇの表面を拭うワイパーとしての機能を有する。図示の例では、可動部材１９は、透光体４に取り付けられている。例えば、照明装置１の定期的な点検などの際に、外枠５及び内枠６を固定しているネジを一時的に緩めて、透光体４を回転させると、可動部材１９が腐食性ガス捕捉材１７ｇの表面に沿って摺動する。これにより、腐食性ガス捕捉材１７ｇの表面の層を除去可能である。
【００４８】
腐食性ガス捕捉材１７ｇの表面に、腐食性ガスとの反応生成物の層が形成されると、腐食性ガス捕捉材１７ｇの性能が低下する可能性がある。可動部材１９により腐食性ガス捕捉材１７ｇの表面の層を定期的に除去することで、腐食性ガス捕捉材１７ｇの表面を新鮮な面に更新できる。これにより、腐食性ガス捕捉材１７ｇの性能を回復させることができる。
【００４９】
変形例として、照明装置１は、腐食性ガス捕捉材１７ｇの表面に沿って可動部材１９を摺動させるためのアクチュエータを備えてもよい。また、腐食性ガス捕捉材１７ｇ以外の腐食性ガス捕捉材１７に対して、同様の機能を有する可動部材を設けてもよい。
【００５０】
本発明の発光装置は、照明装置以外にも適用可能である。例えば、発光する表示装置に本発明を適用してもよい。当該表示装置は、例えば、電気機器の表示部、電気機器のリモコン、スマートフォン、タブレット端末、テレビなどでもよい。
【符号の説明】
【００５１】
１  照明装置、  ２  本体、  ２ａ  放熱フィン、  ３  光源部、  ４  透光体、  ５  外枠、  ６  内枠、  ７  電源装置、  １０，１１  ボルト、  １２  第一リフレクタ、  １３  第二リフレクタ、  １４  内部空間、  １５，１６  封止部材、  １７，１７ａ，１７ｂ，１７ｃ，１７ｄ，１７ｅ，１７ｆ，１７ｇ  腐食性ガス捕捉材、  １８  除去材、  １９  可動部材
【図１】
2019021463.tif 000003
【図２】
2019021463.tif 000004
【図３】
2019021463.tif 000005